(57)【特許請求の範囲】
【請求項１】
以下の手段を備えることを特徴とするプリンタに装着可能なメモリユニットを有するインクカートリッジ。
（ａ）当該インクカートリッジが前記プリンタに装着された場合、当該装着されたプリンタにインクを供給するインク供給手段
（ｂ）前記メモリユニットに備えられ、前記プリンタに装着された時、当該装着されたプリンタから会計情報を受信するための電極部
（ｃ）前記メモリユニットに内蔵され、前記電極部を介して当該装着されたプリンタから会計情報を受信する会計情報受信手段
（ｄ）前記メモリユニットに内蔵され、前記会計情報受信手段により受信された前記会計情報を不揮発に記憶する会計情報記憶手段
【請求項２】
さらに、以下の手段を備えることを特徴とする請求項１に記載のインクカートリッジ。
（ｅ）前記装着されたプリンタから受けた電源を前記電極部を介して前記会計情報記憶手段に供給する電源供給手段
【請求項３】
さらに、以下の手段を備えることを特徴とする請求項２に記載のインクカートリッジ。
（ｆ）前記メモリユニットに内蔵され、少なくとも前記会計情報記憶手段の書き込みアクセスを許可するための権限情報を保持する権限情報保持手段
（ｇ）当該装着されたプリンタから会計情報を記憶させる権限の有無を示すデータを受信し、前記権限情報保持手段に保持された権限情報と比較する権限情報受信・比較手段
（ｈ）前記権限情報受信・比較手段により受信された前記データが権限ありと判定された時、それ以降に前記会計情報受信手段により受信された会計情報を前記会計情報記憶手段に不揮発に記憶させる記憶制御手段
【請求項４】
プリンタに装着された時、当該プリンタに電気的に接続され、データを受信可能とする電極部と、前記電極部を介して当該装着されたプリンタからデータを受信するデータ受信手段と、前記データ受信手段により受信されたデータを不揮発に記憶するデータ記憶手段と、少なくとも前記データ記憶手段の書き込みアクセスを許可するための権限情報を保持する権限情報保持手段と、前記データ受信手段を介してデータを受信し、前記権限情報保持手段に保持された前記権限情報と比較する権限情報受信・比較手段と、前記権限情報受信・比較手段により受信、比較されたデータが権限ありと判定された時、それ以降のデータを前記データ記憶手段に不揮発に記憶させる記憶制御手段とを有することを特徴とするプリンタに着脱可能に構成されたメモリユニット。
【請求項５】
前記権限情報受信・比較手段及び記憶制御手段は、ＤＳＰもしくはゲートアレイにより構成されることを特徴とする請求項４に記載のメモリユニット。
【請求項６】
前記データは、ＰＯＳプリンタのジャーナル記録情報もしくはトランザクション情報であることを特徴とする請求項４から５のいずれかに記載のメモリユニット。
【請求項７】
前記データ記憶手段は、フラッシュＥＥＰＲＯＭによりデータを不揮発に記憶することを特徴とする請求項４から６のいずれかに記載のメモリユニット。
【請求項８】
データを記憶する記憶回路と、入力データをシフトさせながら通過させるラッチ回路と、アクセス権限情報を保持する権限情報保持回路と、ラッチ回路に入力された所定のタイミングの入力データと前記権限情報保持回路に保持された前記アクセス権限情報を比較する比較回路と、比較結果の出力を保持するデータ保持回路と、該データ保持回路の出力により入力データの前記記憶回路への通過を制御するゲート回路とを有し、前記入力データの所定のデータが、前記権限情報保持回路に保持されたアクセス権限情報と一致したとき、その後の入力データが前記記憶回路に格納可能に構成されたことを特徴とするメモリユニット。
【請求項９】
前記記憶回路がフラッシュＥＥＰＲＯＭであることを特徴とする請求項８に記載のメモリユニット。
【請求項１０】
前記メモリユニットは、前記インクカートリッジに着脱自在に装着されていることを特徴とする請求項１から３のいずれかに記載のインクカートリッジ。
【請求項１１】
前記会計情報は、ＰＯＳプリンタのジャーナル記録情報もしくはトランザクション情報であることを特徴とする請求項１から３のいずれかに記載のインクカートリッジ。
【請求項１２】
前記会計情報記憶手段は、フラッシュＥＥＰＲＯＭによりデータを不揮発に記憶することを特徴とする請求項１から３のいずれかに記載のインクカートリッジ。
【請求項１３】
前記インクカートリッジが、液状のインクを収容したインクジェットプリンタ用のインクカートリッジであることを特徴とする請求項１から３のいずれかに記載のインクカートリッジ。
【請求項１４】
前記インクカートリッジが、インクをしみこませたインクリボンを収容したワイヤドットプリンタ用のインクカートリッジであることを特徴とする請求項１から３のいずれかに記載のインクカートリッジ。
【請求項１５】
前記権限情報を記憶する権限情報保持手段がＲＯＭからなることを特徴とする請求項４から６のいずれかに記載のメモリユニット。
【請求項１６】
前記権限情報を保持する権限情報保持手段が前記メモリユニットに着脱自在に装着されたことを特徴とする請求項１５に記載のメモリユニット。
【発明の詳細な説明】
【０００１】
【発明の属する技術分野】
本発明は、ＰＯＳシステム、あるいはキャッシュレジスタに用いられるＰＯＳプリンタに装着可能なメモリユニット及びこれを有するインクカートリッジ、特に、当該プリンタからジャーナル記録情報やトランザクション情報などの会計情報を受信して、当該会計情報を不揮発に記憶するメモリユニット及びこれを有するインクカートリッジに関する。
【０００２】
【従来の技術】
従来から、レジスター装置、会計装置、小型電子卓上計算機では、出入金の明細書、レシート、領収書、売上げ伝票など、会計情報を表す書類を印刷するためにＰＯＳ（Point Of Sales）用プリンタ（印刷装置）を使用している。ＰＯＳプリンタは、紙にこれらの会計情報を表す文字や図形を印刷する際に、インクジェットタイプのＰＯＳプリンタでは、液状インクを、ワイヤドットタイプのプリンタではインクリボンにしみこませたインクを用いる。これらのインクは、一般的に、インクカートリッジに収納され、ＰＯＳプリンタに装着される。
【０００３】
一方で、会計処理に関わるジャーナル情報やトランザクション情報をＰＯＳ用プリンタに記憶させたり、印刷するためにＰＯＳ用プリンタに送られた会計情報をそのままＰＯＳ用プリンタに記憶させるなどして、政府機関などによる会計調査や税務調査の用途に供するものが提供されている。このような情報をＦＩＳＣＡＬ情報、すなわち税法上の情報と呼び、一部の国においては、このような情報の国家への提出を義務付けている。
【０００４】
従来、このような会計情報をＰＯＳプリンタで記録する場合、ジャーナル記録用プリンタを設置したり、あるいはレシート・ジャーナル双方の印刷部を有するプリンタを設置して、これで印刷記録したジャーナル記録紙を作成し、保存する方法が取られたり、又、一部ではあるが、会計情報フラッシュＥＥＰＲＯＭ（Electrically Erasable Programmable Read Only Memory ）に記録したりと言った方法が採られていた。また、このような会計情報を政府機関の検査に委ねるために、たとえばＰＣ（Personal Computer ）カード標準（従来のＰＣＭＣＩＡ（Personal Computer Memory Card International Association ）標準）に準拠したフラッシュメモリカードをＰＯＳ用プリンタに装着して使用していた。フラッシュメモリカードは、ＰＯＳ用プリンタの内部やＰＯＳ用プリンタの匡体外側に設けられた専用スロットに装着されていた。
【０００５】
更に、インクカートリッジは、一般的にプラスチックケースからなりこれらは不燃廃棄物として埋め立て処理されているが、近年環境問題が議論される中、確実な回収が必要となってきている。
【０００６】
【発明が解決しようとする課題】
しかしながら、従来のＰＯＳ用プリンタでは、印刷用インクが切れればインクカートリッジの交換が必要であり、会計情報を政府機関の検査に委ねる場合にはメモリカードの交換が必要であった。このため、２種類の機器の交換作業を一般ユーザなどが行う必要があった。このため、交換作業を簡略化し、一般ユーザがＰＯＳプリンタを使用できるようになるまでの作業訓練期間を短縮化し、教育コストを下げることが望まれていた。
【０００７】
また、ＦＩＳＣＡＬ情報などの税務処理のための会計情報では、正当な権限を有する者のみがＦＩＳＣＡＬ情報を不揮発に記憶させられるようにしたい、という要望があった。
【０００８】
更に、このように正しい会計情報のみを記憶させるために必要な電源として、電池のような消耗する電源ではなく、より確実な電源が望まれていた。
【０００９】
本発明は、以上のような課題を解決するためになされたもので、ＰＯＳ用プリンタに装着した場合に、当該プリンタからＦＩＳＣＡＬ情報などの会計情報を受信して、当該会計情報を不揮発に記憶するインクカートリッジを提供することを目的とする。
【００１０】
本発明は又、インクカートリッジを政府機関が確実に回収し、カートリッジに設けられたメモリ内のデータを利用できるようにすると共に、使用済みのカートリッジをリサイクル可能な形態にすることにある。
【００１１】
【課題を解決するための手段】
以上の目的を達成するための発明は下記の発明である。
【００１２】
本発明は、プリンタに装着可能なメモリユニットを有するインクカートリッジであり、（ａ）当該インクカートリッジが前記プリンタに装着された場合、当該装着されたプリンタにインクを供給するインク供給手段と、（ｂ）前記メモリユニットに備えられ、前記プリンタに装着された時、当該装着されたプリンタから会計情報を受信するための電極部と、（ｃ）前記メモリユニットに内蔵され、前記電極部を介して当該装着されたプリンタから会計情報を受信する会計情報受信手段と、（ｄ）前記メモリユニットに内蔵され、前記会計情報受信手段により受信された前記会計情報を不揮発に記憶する会計情報記憶手段とを有することを特徴とする。
【００１３】
又、本発明のインクカートリッジは、さらに、（ｅ）当該装着されたプリンタから受けた電源を会計情報記憶手段に供給する電源供給手段を有することを特徴とする。
【００１４】
又、本発明のインクカートリッジは、さらに、（ｆ）前記メモリユニットに内蔵され、少なくとも前記会計情報記憶手段の書き込みアクセスを許可するための権限情報を保持する権限情報保持手段と、（ｇ）ＰＯＳプリンタから会計情報を記憶させる権限の有無を示すデータを受信し、前記権限情報保持手段に保持された権限情報と比較する権限情報受信・比較手段と、（ｈ）前記権限情報受信・比較手段により受信された前記データが権限ありと判定された時、それ以降に前記会計情報受信手段により受信された会計情報を前記会計情報記憶手段に不揮発に記憶させる記憶制御手段とを有することを特徴とする。
【００１５】
更に、本発明のメモリユニットは、プリンタに装着された時、当該プリンタに電気的に接続され、データを受信可能とする電極部と、前記電極部を介して当該装着されたプリンタからデータを受信するデータ受信手段と、前記データ受信手段により受信されたデータを不揮発に記憶するデータ記憶手段と、少なくとも前記データ記憶手段の書き込みアクセスを許可するための権限情報を保持する権限情報保持手段と、前記データ受信手段を介してデータを受信し、前記権限情報保持手段に保持された前記権限情報と比較する権限情報受信・比較手段と、前記権限情報受信・比較手段により受信、比較されたデータが権限ありと判定された時、それ以降のデータを前記データ記憶手段に不揮発に記憶させる記憶制御手段とを有することを特徴とするメモリユニットである。メモリユニットは、更に、前記記憶制御手段が、ＤＳＰ（Digital Signal Processor；ディジタル信号プロセッサ）もしくはゲートアレイにより構成されることを特徴とする。
【００１６】
更に、本発明の会計情報は、ＰＯＳプリンタのジャーナル記録情報もしくはトランザクション情報であることを特徴とする。
【００１７】
更に、本発明の記憶手段は、フラッシュＥＥＰＲＯＭによりデータを不揮発に記憶することを特徴とする。
【００１８】
更に、本発明のメモリユニットは、インクカートリッジに着脱自在に装着されていることを特徴とする。
【００１９】
更に又、本発明は、液状のインクを収容したインクジェットプリンタ用のインクカートリッジであることを特徴とする。
【００２０】
更に又、本発明は、インクをしみこませたインクリボンを収容したワイヤドットプリンタ用のインクカートリッジであることを特徴とする。
【００２１】
更に又、本発明は、権限情報を記憶する権限情報保持手段がＲＯＭからなることを特徴とするメモリユニット及びこれを有するインクカートリッジである。
【００２２】
更に又、本発明は、権限情報を保持する権限情報保持手段がメモリユニットに着脱自在に装着されたことを特徴とする。
【００２３】
更に又、本発明のメモリユニットはデータを記憶する記憶回路と、入力データをシフトさせながら通過させるラッチ回路と、アクセス権限情報を保持する権限情報保持回路と、ラッチ回路に入力された所定のタイミングの入力データと前記権限情報保持回路に保持された前記アクセル権限情報を比較する比較回路と、比較結果の出力を保持するデータ保持回路と、該データ保持回路の出力により入力データの前記記憶回路への通過を制御するゲート回路とを有し、前記入力データの所定のデータが、前記権限情報保持回路に保持されたアクセス権限情報と一致したとき、その後のデータが前記記憶回路に格納可能に構成されたことを特徴とする。
【００２４】
【発明の実施の形態】
以下に本発明の一実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【００２５】
図１は、本発明のインクカートリッジの実施形態の一例の外観を示す。以下、図１を参照して、本発明のインクカートリッジの概要構成を説明する。
【００２６】
インクカートリッジ１０１は、インクタンク１０２と、インクタンク１０２に格納されたインクをプリンタに供給するための供給口１０３と、会計情報の処理を行うメモリユニット１０４を備える。
【００２７】
本実施例では、ＰＯＳプリンタとしてインクジェット方式の印刷ヘッドを想定している。インクタンク１０２と供給口１０３の実施態様については、通常のインクジェット方式プリンタ用のインクカートリッジと同様の手法を採用することができる。
【００２８】
インクタンク１０２とメモリユニット１０４とは、一体となって固定されている。ただし、政府機関がインクカートリッジ１０１を回収し、税務調査などを行ったあと、それぞれ単独でリサイクルできるように、切り離すことが可能である。一方、不正業者による改造を防止するため、インクタンク１０２とメモリユニット１０４との間には封印シール１０５が貼付されている。不正業者が改造しようとしても、封印シール１０５が破断してしまうため、改造が容易に判明してしまう。したがって、封印シール１０５により不正改造を防止することができる。
【００２９】
メモリユニット１０４の表面には、電極部１０６が備えられ、インクカートリッジ１０１をＰＯＳプリンタに装着すると、電極部１０６を介してＰＯＳプリンタがメモリユニット１０４にアクセスし、会計情報を記憶させる。政府機関の税務調査の際には、電極部１０６を介してメモリユニット１０４に記憶された会計情報にアクセスする。
【００３０】
また、電極部１０６を介してＰＯＳプリンタからメモリユニット１０４へ電源が供給され、これによりメモリユニット１０４の内部回路が動作する。
【００３１】
このように、インクカートリッジ１０１にＦＩＳＣＡＬ情報などの会計情報を記憶するメモリユニット１０４が一体となって固定されているため、一般ユーザは、インクカートリッジ１０１をプリンタに装着する方法のみを覚えればよいので、作業習熟までの期間を短縮することができ、教育コストを低減することができる。
【００３２】
図２は、図１に示すインクカートリッジのメモリユニット１０４の構成の概要を示すブロック構成図である。図１と同様の機能を有する構成要素には同じ符号を付している。
【００３３】
以下、図２を参照して、本発明のインクカートリッジのメモリユニットの概要構成を説明する。メモリユニット１０４の電極部１０６は、電源供給部２０１と情報受信部２０２とからなる。電源供給部２０１から供給される電力により、ゲートアレイ２０３、権限情報保持回路２０５と記憶回路である不揮発性メモリの一種のフラッシュＥＥＰＲＯＭ ２０４とが動作する。この電源は、カートリッジに備えられたバッテリーを用いても良い。
【００３４】
図３は、ゲートアレイ２０３の内部回路の説明図である。
【００３５】
ゲートアレイ２０３は、内部にラッチ回路３０１、データ比較回路３０２、フリップフロップ３０３、ゲート回路３０４を備えている。ＤＡＴＡ−ＩＮ端子３０５から所定のタイミングのデータ列がシフトレジスタを構成要素とするラッチ回路３０１に入力されると、権限情報保持回路２０５の保持データとデータ比較回路３０２で比較され、情報が一致した場合、比較回路の出力によってデータ保持回路であるフリップフロップ回路３０３がセットされ、ゲート回路３０４が開き、その後のデータがこのラッチ回路３０１を経由しゲート回路３０４をパスして、フラッシュＥＥＰＲＯＭ２０４にアクセス可能となっている。データ比較回路３０２としては一般的に、Ｅｘｃｌｕｓｉｖｅ−ＯＲ回路が用いられる。権限情報となる特定のデータ列のパターンは、あらかじめ決められ、権限情報保持回路２０５の回路構成、あるいはＲＯＭを用いた場合は記憶させたデータによって容易に変更することができる。又、この回路をゲートアレイ２０３に一体に設けることもできる。更には暗号記憶用のＲＯＭとしてこの部分をソケット式にして着脱可能する構成とすることもできる。この特定のデータ列のパターンが会計情報を書き込むための権限情報として使用される。プリンタ側には、権限情報保持回路２０５に記憶された信号パターンと同じ信号パターンを発生する権限情報発生回路が設けられることになる。
【００３６】
この特定のデータ列は、入力されるデータの先頭に位置し、このデータ入力開始から所定のタイミングのデータが通過して初めて後のデータ列が、アクセスを許可されたデータとなることができる。又、繰り返しこのデータ列を試されることを防止するため、先頭のデータ列がこの特定パターンに合致しない場合は、電源を一旦切らない限り、前記フリップフロップ回路の出力が切り替わらないようリセット回路（図示せず）に接続された構成となっている。
【００３７】
このように、ゲート回路３０４がオープンすると、それ以降は、情報受信部２０２が受信した情報に基づいて会計情報をフラッシュＥＥＰＲＯＭ ２０４に記憶する。すなわちゲートアレイ２０３は、権限情報を比較する比較手段として、またフラッシュＥＥＰＲＯＭ ２０４にデータの記憶を制御する記憶制御手段として機能する。
【００３８】
一方、メモリユニットが所定のプリンタから切り離され、権限情報が無い状態でアクセスされた場合などは、ゲート回路３０４が閉じられ、情報受信部２０２が情報を受信しても、その情報がフラッシュＥＥＰＲＯＭ ２０４に記憶されることはない。
【００３９】
このように、会計情報を記憶させるための権限を表す所定の「暗号」を入力しなければ会計情報に対するアクセスができない。これにより、ＦＩＳＣＡＬ情報の改竄などを防止することができる。
【００４０】
政府機関の税務調査では、権限情報保持回路２０５の管理番号から暗号を特定し電極部１０６を介してフラッシュＥＥＰＲＯＭ ２０４に記憶されたＦＩＳＣＡＬ情報にアクセスする実施形態をとることができる。上記で述べたように、特定のプリンタからのみアクセス可能に構成することにより、政府機関以外のアクセスを防止することができる。又、ゲートアレイ２０３では、ＥＥＰＲＯＭに対して、追記録のみしかできないように制御させることにより、データの一部改竄などを防止している。
【００４１】
更に、インクタンク１０２とメモリユニット１０４とが固着して運用さたことが封印シール１０５により保証されるため、メモリユニット１０４がインクタンク１０２と密着する面に、フラッシュＥＥＰＲＯＭ ２０４からの情報読み出し用の電極を別途用意する実施形態をとることもできる。この場合には、ゲートアレイ２０３の回路構成を簡略化することができ、コストの低減を図ることができる。
【００４２】
上記実施形態では、インクタンク１０２および供給口１０３は、共働してインク供給手段として機能し、電極部１０６の情報受信部２０２は、会計情報受信手段、権限情報受信・比較手段として機能し、フラッシュＥＥＰＲＯＭ ２０４は、会計情報記憶手段として機能し、電極部１０６の電源供給部２０１は、電源供給手段として機能し、ゲートアレイ２０３は、記憶制御手段として機能する。
【００４３】
なお、上記の説明では、説明の都合上インクジェット方式のプリンタ用のインクカートリッジを例にあげて説明したが、本発明が適用できるインクカートリッジはこれに限定されない。たとえば、熱転写方式やドットインパクト方式のインクリボンによりインクを供給するタイプのインクカートリッジ、レーザー方式のトナーをインクとして使用するインクカートリッジなど、各種のインクカートリッジに本発明を適用することができ、これらの実施形態も本発明の範囲に含まれる。
【００４４】
また、上記の説明では、専らＦＩＳＣＡＬ情報やトランザクション情報などの会計情報を記憶する実施形態を例としてあげたが、さらに、インクカートリッジの使用期間、製造年月日、製造番号、インクの残量、インクの使用頻度などをさらにフラッシュＥＥＰＲＯＭに記憶する実施形態をとることもできる。この場合、回収されたインクカートリッジに記憶されるインクの使用頻度などの統計情報を調査することができる。
【００４５】
また、上記の説明では、ＤＳＰやゲートアレイを使用してフラッシュＥＥＰＲＯＭに対する会計情報のアクセスを制御したが、ＣＰＵやマイクロコンピュータにより制御する実施形態をとることも可能であり、これらの実施形態も本発明の範囲に含まれる。
【００４６】
このほか、上記の説明では、プリンタからフラッシュＥＥＰＲＯＭ、ＤＳＰ、ゲートアレイに電源が供給されたが、バックアップ用の電池をインクカートリッジに備えたり、インクカートリッジ独自に電源を用意する実施形態をとることも可能であり、これらの実施形態も本発明の範囲に含まれる。
【００４７】
フラッシュＥＥＰＲＯＭの容量は、インクカートリッジのリサイクルを考慮して、決定することができる。又、インクの使用量とメモリに記憶される情報量とは相関関係があり、ジャーナルデータが多ければ、当然のことながらレシートとして印刷に使用されるインクの量も多くなるので、インクの容量が、概略１ヶ月程度で有れば、その期間のジャーナルデータが入るような容量を決定できる。又、店舗によってこの使用頻度は異なるので、店舗の事情によって政府機関では適当なデータ収集の頻度を決定すればよい。又、データを収集したインクカートリッジは、リフィルのために工場に送付し、インクを詰め替えた後、政府機関が引き取りメモリユニットを取り付けて出荷することになる。
【００４８】
これによって効率よくインクカートリッジのリサイクルが可能であり、またインクの使用量とメモリの使用領域との相関があまりにもおかしい場合は、脱税などが疑われるため、不正がしにくいという環境にもなるという副次的効果も有している。
【００４９】
【発明の効果】
以上説明したように、本発明によれば、以下の効果を奏する。
【００５０】
第１に、ＰＯＳ用プリンタに装着した場合に、当該プリンタからＦＩＳＣＡＬ情報やトランザクション情報などの会計情報を受信して、当該会計情報を不揮発に記憶するインクカートリッジを提供することができる。
【００５１】
第２に、プリンタから供給される安定な電源を利用してフラッシュＥＥＰＲＯＭなどの会計情報記憶手段が動作するインクカートリッジを提供することができる。
【００５２】
第３に、正当な権限を有する者のみがＦＩＳＣＡＬ情報などの会計情報を不揮発に記憶させることができるインクカートリッジを提供することができる。
【００５３】
第４に、記憶制御手段もプリンタからの安定な電源により動作し、確実な記憶動作を保証するインクカートリッジを提供することができる。
【００５４】
第５に、ＣＰＵやマイクロコンピュータなどの複雑な電子回路を使用しない安価なインクカートリッジを提供することができる。
【００５５】
第６に、フラッシュＥＥＰＲＯＭを利用して、扱いが容易で振動や塵埃などに対しても強い耐性を有し、確実に会計情報を記憶するインクカートリッジを提供することができる。
【００５６】
第７に、ＦＩＳＣＡＬ情報をインクカートリッジに記憶した場合には、政府機関がインクカートリッジを回収するため、リサイクルが容易となり、環境問題の発生を防止するとともに、安価なコストでリサイクルが可能なインクカートリッジを提供することができる。
【００５７】
第８に、メモリユニットをゲートアレイを中心とした回路で構成し、且つデータ比較回路というインテリジェント機能を持たない回路でアクセス権を管理できるようにしたため、ＣＰＵが不要でありながら、安価で信頼性の高いセキュリティ機能を搭載したものを提供することができる。
【図面の簡単な説明】
【図１】本発明のインクカートリッジの実施形態の一例の外観を示す図。
【図２】図１に示すインクカートリッジのメモリユニットの構成の概要を示すブロック構成図。
【図３】図２のゲートアレイ２０３の内部回路の説明図。
【符号の説明】
１０１  インクカートリッジ
１０２  インクタンク
１０３  供給口
１０４  メモリユニット
１０５  封印シール
１０６  電極部
２０１  電源供給部
２０２  情報受信部
２０３  ゲートアレイ
２０４  フラッシュＥＥＰＲＯＭ
２０５  権限情報保持回路
３０１  ラッチ回路
３０２  データ比較回路
３０３  フリップフロップ回路
３０４  ゲート回路
【図１】
0003758013.tif 000002
【図２】
0003758013.tif 000003
【図３】
0003758013.tif 000004